(57)【要約】【課題】幅広い形態の被装着体に柔軟な取付態様で装着することができるとともに、経済性に優れた清掃具を提供する。【解決手段】清掃具１０は、床面を掃除する拭掃体１１と、同拭掃体１１の一端部を保持するとともに作業車２０に装着するための保持体１２とから構成されている。拭掃体１１は、帯状に形成されるとともに、単位拭掃体１１ｂごとに分割可能に構成されている。保持体１２は、屈曲性を有し拭掃体１１の形成方向と直交する方向に分割可能に構成されるとともに、作業車２０に取り付けるために筒状に形成されている。作業者は、帯状に形成されるとともに両端部に面ファスナ３１ａ，３１ｂを備えた固定帯を保持体１２内に挿入した清掃体１０を作業車２０の脚部２１の下面中央部において作業車２０の幅方向に対して保持体１２の軸線が平行になるように配置する。そして、固定帯３０の両端部を脚部２１の上面に巻き回して固定し、清掃具１０を作業社２０に装着する。【選択図】  図１
2010088582.tif 000002
【特許請求の範囲】
【請求項１】
床面に対して接触した状態で変位して同床面を掃除する拭掃体と、
前記拭掃体の一端部を保持するとともに、同拭掃体を前記床面に対して変位させるための被装着体に着脱自在に装着するための保持体とを備える清掃具において、
前記拭掃体は、帯状に形成されるとともに、同形成方向と直交する方向に分割可能に構成されており、
前記保持体は、屈曲性を有し前記拭掃体の形成方向と直交する方向に分割可能に構成されるとともに、前記被装着体に取り付けるための取付手段を前記拭掃体の形成方向に沿って備えていることを特徴とする清掃具。
【請求項２】
請求項１に記載した清掃具において、
前記保持体における取付手段は、前記拭掃体の形成方向に沿って形成された筒体で構成されていることを特徴とする清掃具。
【請求項３】
請求項２に記載した清掃具において、
前記筒体は、前記拭掃体の形成方向に沿って設けられた留め具によって開閉自在に形成されていることを特徴とする清掃具。
【請求項４】
請求項２または請求項３に記載した清掃具において、さらに、
前記筒体内に挿入された状態で前記保持体を前記被装着体に取り付けるための固定具を備えることを特徴とする清掃具。
【請求項５】
請求項１ないし請求項４のうちのいずれか１つに記載した清掃具において、
前記拭掃体は、前記床面上に存在するゴミを拭き、または掃き取ることができる布、不織布、繊維の束およびブラシのうちの少なくとも１つで構成される清掃具。
【発明の詳細な説明】
【技術分野】
【０００１】
本発明は、被装着体に装着されて床面を掃除する清掃具に関する。
【背景技術】
【０００２】
従来から、工場、倉庫、または商業施設などの床面の清掃においては、ほうきやモップを用いた人手による清掃、またはポリッシャと呼ばれる電動の床面専用清掃機を用いた機械による清掃が行われている。一般に、これらの工場、倉庫、または商業施設などにおける清掃作業においては、清掃対象となる床面積が大きいため、清掃作業を自らが行うにしても専門の業者に依頼するにしても床面積に応じた多大な時間、手間および費用が必要となる。
【０００３】
そこで、下記特許文献１〜６には、工場や倉庫などの構内で用いられている作業車に装着して床面を清掃するためのモップ、同モップなどを備える清掃具、または同モップを作業車に取り付けるためのモップ取付具がそれぞれ提案されている。また、下記特許文献７には、ショッピングセンタなどの商業施設内において来店者に利用されるショッピングカートにモップを備える清掃具を装着することにより、ショッピングカートの移動とともに床面を清掃する清掃具が提案されている。
【特許文献１】実用新案登録第３０２０１８２号公報
【特許文献２】特開平０７−１８０１２２号公報
【特許文献３】特開平０７−３１５１１４号公報
【特許文献４】特開平０９−１４０６４９号公報
【特許文献５】特開２０００−９３３７４号公報
【特許文献６】特開２０００−９３３７５号公報
【特許文献７】実開平０７−１３６４１号公報
【０００４】
しかしながら、上記各特許文献１〜７に提案されている各種清掃具は、モップ取付具を介して作業車やショッピングカートなどの被装着体にモップを装着する構成であるため、モップの装着がモップ取付具を備えることができる被装着体に限定され汎用性に乏しいという問題がある。また、モップ取付具を取り付けることができる作業車やショッピングカートにおいても、モップ取付具の形状や大きさによってはモップ取付具の取付位置や向きに制限が生じて必ずしも清掃に適した位置や向きにモップを装着することができず、清掃能力を十分に発揮できないことがあるという問題がある。さらに、これらのモップ取付具は、部品点数が多く構成が複雑なため、清掃具が高価になり清掃に要する費用が高額になるという問題もある。特に、工場、倉庫または商業施設においては、多数の作業車やショッピングカートが利用されているため、清掃作業に掛かる経済的負担は極めて大きい。
【０００５】
一方、モップ取付具に取り付けられるモップにおいても、モップ取付具に応じた専用の形状で構成する必要があるため、被装着体の違いなどによる種類の異なるモップ取付具間でモップを流用することができず汎用性に乏しい。また、モップの一部が再生不能に汚損した場合にはモップ全体として使用不能となり新品のモップと交換しなければならず経済性も乏しいという問題があった。
【発明の開示】
【０００６】
本発明は上記問題に対処するためなされたもので、その目的は、幅広い形態の被装着体に柔軟な取付態様で装着することができるとともに、経済性に優れた清掃具を提供することにある。
【０００７】
上記目的を達成するため、請求項１に係る発明の特徴は、床面に対して接触した状態で変位して同床面を掃除する拭掃体と、拭掃体の一端部を保持するとともに、同拭掃体を床面に対して変位させるための被装着体に着脱自在に装着するための保持体とを備える清掃具において、拭掃体は、帯状に形成されるとともに、同形成方向と直交する方向に分割可能に構成されており、保持体は、屈曲性を有し拭掃体の形成方向と直交する方向に分割可能に構成されるとともに、被装着体に取り付けるための取付手段を拭掃体の形成方向に沿って備えていることにある。
【０００８】
このように構成した請求項１に係る発明の特徴によれば、清掃具は、床面を掃除する拭掃体と、同拭掃体の一端部を保持するとともに被装着体に装着するための保持体とから構成されている。そして、拭掃体は、帯状に形成されるとともに、同形成方向と直交する方向に分割可能に構成されており、保持体は、屈曲性を有し拭掃体の形成方向と直交する方向に分割可能に構成されるとともに、被装着体に取り付けるための取付手段を備えている。これにより、清掃を行う作業者は、被装着体における保持体の取り付け部分の長さに応じて拭掃体および保持体を分割（例えば、切断）することにより必要な大きさ（長さ）の清掃具を被装着体に直接取り付けることができる。この場合、保持体は屈曲可能な素材で構成されているため、保持体を適宜折り曲げながら被装着体に取り付けることができる。また、清掃具は保持体における取付手段を介して被装着体に直接取り付けられる。この場合、取付手段としては、面ファスナ、磁石、ボタンまたはフックなどを用いることができる。そして、清掃具の使用により拭掃体の一部が再生不能に汚損した際には、汚損した部分のみを切除して同切除した大きさに対応する清掃具を新たに被装着体に装着することにより清掃具を再生することができる。これらの結果、幅広い形態の被装着体に柔軟な取付態様で清掃具を装着することができるとともに、清掃作業に掛かる経済的負担を軽減することができる。
【０００９】
また、請求項２に係る発明の特徴は、前記清掃具において、保持体における取付手段は、拭掃体の形成方向に沿って形成された筒体で構成されていることにある。
【００１０】
このように構成した請求項２に係る発明の特徴によれば、清掃具の保持体における取付手段は、筒体で構成されている。これにより、清掃具を被装着体に装着する場合には、例えば、筒体内にロープなどの紐状体や磁石を通すことにより保持体を被装着体に簡単に取り付けることができる。また、例えば、被装着体側に、筒体内に挿入するための突起やフックなどの係止具を設けることにより保持体を被装着体に簡単に取り付けることもできる。これらの結果、幅広い形態の被装着体に柔軟な取付態様で清掃具を装着することができるとともに、清掃作業に掛かる経済的負担を軽減することができる。
【００１１】
また、請求項３に係る発明の特徴は、前記清掃具において、前記筒体は、拭掃体の形成方向に沿って設けられた留め具によって開閉自在に形成されていることにある。
【００１２】
このように構成した請求項３に係る発明の特徴によれば、清掃具の保持体における取付手段は、拭掃体の形成方向に沿って設けられた留め具によって筒体が開閉自在に形成されている。このため、作業者は、留め具を外すことにより筒体を開くことができ、筒体内に上記紐状体や磁石を容易に配置することができる。また、被装着体に軸部分が存在する場合には、同軸部分に筒状の取付手段を直接着脱することができる。この結果、被装着体に対する清掃具の装着作業を容易かつ迅速に行うことができる。
【００１３】
また、請求項４に係る発明の特徴は、前記清掃具において、さらに、前記筒体内に挿入された状態で保持体を被装着体に取り付けるための固定具を備えることにある。
【００１４】
このように構成した請求項４に係る発明の特徴によれば、筒体内に挿入した固定具、例えば、上記紐状体や磁石などにより簡単に清掃具を被装着体に装着することができる。
【００１５】
また、請求項５に係る発明の特徴は、前記清掃具において、拭掃体は、床面上に存在するゴミを拭き、または掃き取ることができる布、不織布、繊維の束およびブラシのうちの少なくとも１つで構成されることにある。
【００１６】
このように構成した請求項５に係る発明の特徴によれば、清掃対象となる床面の性状やゴミの種類に応じて効果的な掃除体を構成することができる。この結果、清掃具における床面の清掃能力が向上し、同床面の清掃精度および清掃効率を高めることができる。
【発明を実施するための最良の形態】
【００１７】
（清掃具１０の構成）
以下、本発明に係る清掃具の一実施形態について図面を参照しながら説明する。図１（Ａ）〜（Ｄ）は、本発明に係る清掃具１０の全体構成を概略的に示す図であり、図１（Ａ）は正面図、図１（Ｂ）,（Ｃ）は右側面図、図１（Ｄ）は図１（Ａ）に示す清掃具１０の一部を拡大した一部拡大破断正面図である。なお、本明細書において参照する各図は、本発明の理解を容易にするために一部の構成要素を誇張して表わすなど模式的に表している。このため、各図面間および各構成要素間の寸法や比率などは異なっていることがある。この清掃具１０は、工場や倉庫などで用いられる作業車などの被装着体に装着されて、工場や倉庫などの床面の清掃に用いられるものである。
【００１８】
この清掃具１０は、拭掃体１１と保持体１２とを備えている。拭掃体１１は、清掃対象となる床面上に散在するゴミを絡めることができる撚り糸１１ａを互いの軸線が平行な向きで多数配置して構成された所謂モップである。この拭掃体１１は、撚り糸１１ａの配置方向において所定の長さごとに区切った単位拭掃体１１ｂの集合で構成されている。本実施形態においては、直径が約２ｍｍ、長さが約１７０ｍｍの撚り糸１１ａを幅方向（図示左右方向）に約１５０ｍｍ分、厚さ方向に２〜４本用いて１つの単位拭掃体１１ｂ（束）を構成している。また、単位拭掃体１１ｂは、所定の間隔（本実施形態においては、約１０ｍｍ）を介して１２個配置されるとともに、撚り糸１１ａの上端部１１ｃが保持体１２によって束ねられている。したがって、清掃体１０は、長さ約２ｍの帯状に形成されている。
【００１９】
保持体１２は、拭掃体１１を保持するとともに同拭掃体１１を被装着体に装着するための部分であり、塩化ビニール製の長尺の方形状シートを筒状に形成して構成されている（図１（Ｂ）参照）。より具体的には、保持体１２における図示下側の一方の端部に拭掃体１１の上端部１１ｃが当て生地１２ａによって挟まれた状態で縫合されている（図１（Ｃ），（Ｄ）参照）。すなわち、拭掃体１１は、保持体１２の軸線方向に沿って下垂した状態で保持されている。
【００２０】
この保持体１２における前記縫合部分は、拭掃体１１における上端部１１ｃを挟んだ状態で保持体１２の一方の端部（図示下端部）を縫合した保持部分Ｃ（図において破線円で示す）と、同拭掃体１１の上端部１１ｃを挟まない状態で保持体１２の一方の端部を直接縫合した分離部分Ｓ（図において破線円で示す）とで構成されている。これらのうち、拭掃体１１の上端部１１ｃを挟まない状態で縫合された分離部分Ｓは、糸１３が所謂折り返し縫いにより縫合されている。
【００２１】
保持体１２における他方の端部を当て生地１２ａ側に折り返すことにより当て生地１２ａに対向する面は、当て生地１２ａの表面に一対の面ファスナ１４ａ，１４ｂを介して着脱自在な状態で貼り付けられるようになっている（図１（Ｄ）において面ファスナ１４ａ，１４ｂは図示せず）。なお、図１（Ｂ）は、保持体１２における他方の端部（面ファスナ１４ａ側）が保持体１２における一方の端部（面ファスナ１４ｂ側）に貼り付けられた状態を示し、図１（Ｃ）は、保持体１２における他方の端部（面ファスナ１４ａ側）が保持体１２における一方の端部（面ファスナ１４ｂ側）に貼り付けられていない状態を示しめしている。
【００２２】
（清掃具１０の作動）
次に、上記のように構成した清掃具１０の使用方法について説明する。まず、作業者は、清掃具１０と、同清掃具１０を取り付ける対象となる作業車２０とを用意する。本実施形態においては、作業車２０として、図２に示すように、工場や倉庫内において各種物品を運搬するリーチリフトを用いる。
【００２３】
次に、作業者は、清掃具１０を装着する作業車２０の装着部分の長さ、具体的には、作業車２０の幅に対応した長さに切断する。本実施形態においては、作業車２０の幅が１.２ｍであるため、７つの単位拭掃体１１ｂを含む位置（清掃具１０の一方の端面から約１.１ｍの位置）で保持体１２をはさみ等を用いて図示上下方向に切断する。この場合、作業者は、保持体１２における分離部分Ｓの部分を縦断して切断する。この保持体１２における分離部分Ｓは、返し縫いにより縫合されているため、単位拭掃体１１ｂにおける切断した端部がその後解れて撚り糸１１ｂが保持体１２から外れることはない。また、分離部分Ｓには、拭掃体１１が存在しないため拭掃体１１を切断する必要はない。なお、切断により残った５つの単位拭掃体１１ｂで構成された清掃体１０は、予備として次回の使用時まで保管しておく。
【００２４】
次に、作業者は、図３に示すように、清掃体１０における保持体１２内に固定帯３０を配置する。固定帯３０は、化学繊維を帯状に織って形成されており、清掃体１０の保持体１２内に挿入された状態で両端部が重なり合う長さに形成されるとともに、同重なり合う対向部分に一対の面ファスナ３１ａ，３１ｂがそれぞれ設けられている。この固定帯３０の保持体１２内への配置に際して作業者は、図１（Ｃ）に示すように、保持体１２における他方の端部（面ファスナ１４a側）を保持体１２における一方の端部（面ファスナ１４ｂ側）から剥がすことにより保持体１２内を開いた状態で固定帯３０を配置する。なお、図３においては、清掃具１０における両端部の単位拭掃体１１ｂを示し、他の５つの単拭掃体１１ｂを省略して示している。
【００２５】
そして、作業者は、固定帯３０を備える清掃具１０を作業車２０の底部に装着する。具体的には、作業車２０における脚部２１の下面に清掃具１０を配置するとともに、固定帯３０の両端部を脚部２１の上面に巻き回して面ファスナ３１ａ，３１ｂによって固定する（図２参照）。これにより、作業車２０の脚部２１の下方領域に作業車２０の幅方向に沿って清掃具１０が装着される。この場合、清掃具１０における保持体１２から下垂する拭掃体１１は、拭掃体１１における丈方向略中央部から下方部分が床面に接触した状態となる。なお、この場合、作業車２０における爪２２を上下動可能に支持する支持柱３３の前後方向（図示左右方向）の変位に支障のない位置に清掃体１０が取り付けられることは当然である。また、作業車２０の脚部２１の下面における清掃体１０を装着する部分の一部に突起物などの障害物が存在する場合には、保持体１２を適宜屈曲させて障害物を避けて取り付けることができる。
【００２６】
このように拭掃体１１が床面に接触した状態において、作業車２０が作業者により運転されると、拭掃体１１は作業車２０の移動によって床面上を引き摺られる。これにより、作業車２０が移動する床面上が拭掃体１１によって拭かれ、同床面上に存在するゴミが拭掃体１１に付着して回収される。すなわち、作業車２０が移動した床面が清掃具１０によって清掃される。この場合、床面の清掃作業は、作業車２０を操作する作業者の意図に関わらず、作業車２０を移動させるごとに自動的に行われる。
【００２７】
そして、清掃具１０の拭掃体１１に回収したゴミが溜まり拭掃体１１の清掃能力が低下した場合には、作業者は、清掃具１０における固定帯３０の面ファスナ３１ａ，３１ｂを剥がして清掃体１０を作業車２０から取り外す。これにより、作業者は、拭掃体１１によって回収されたゴミを処分することができるとともに、汚れた拭掃体１１を洗浄することができる。ゴミが取り除かれた拭掃体１１、または洗浄された拭掃体１１は再び固定帯３０によって作業車２０に装着されて清掃作業に供される。なお、拭掃体１１の清掃能力が再生不能な程度に低下した場合には、新規の清掃体１１を用意して前記と同様の手順で作業車２０に装着する。
【００２８】
また、拭掃体１１の一部の清掃能力が低下した場合には、同一部を含む単位拭掃体１１ｂのみを新規なものに交換することもできる。具体的には、作業者は、清掃体１１を作業車２０から取り外した後、保持体１２における分離部分Ｓを境として清掃能力が低下した単位拭掃体１１ｂを他の単位拭掃体１１ｂから切り取って分離する。この場合、保持体１２における分離部分Ｓは、返し縫いにより縫合されているため、単位拭掃体１１ｂにおける切断した端部がその後解れて撚り糸１１ｂが保持体１２から外れることはない。
【００２９】
そして、作業者は、分離した単位拭掃体１１ｂに相当する大きさの新規の単位拭掃体１１ｂを前記保管しておいた清掃具１０から分離して使用を続ける単位掃除体１１ｂとともに作業車２０に装着する。これにより、清掃能力を未だ有する他方の単位拭掃体１１ｂを生かして清掃体１０を構成し床面の清掃作業を行うことができる。換言すれば、使用により清掃能力が低下して耐用限度を超えた一部の単位拭掃体１１ｂによって清掃体１０全体が耐用限度となることを防止している。
【００３０】
上記作動説明からも理解できるように、上記実施形態によれば、清掃具１０は、床面を掃除する拭掃体１１と、同拭掃体１１の一端部を保持するとともに作業車２０に装着するための保持体１２とから構成されている。そして、拭掃体１１は、帯状に形成されるとともに、単位拭掃体１１ｂごとに分割可能に構成されており、保持体１２は、屈曲性を有し拭掃体１１の形成方向と直交する方向に分割可能に構成されるとともに、作業車２０に取り付けるために筒状に形成されている。これにより、清掃を行う作業者は、作業車２０における保持体１２の取り付け部分の長さに応じて保持体１２を切断することにより必要な大きさ（長さ）の清掃具１０を作業車２０に直接取り付けることができる。この場合、保持体１２は屈曲可能な素材で構成されているため、保持体１２を適宜折り曲げながら作業車２０に取り付けることができる。また、清掃具１０は筒状に形成された保持体１２と、同保持体１２内に配置される固定帯３０を介して作業車２０に直接取り付けられる。そして、清掃具１０の使用により拭掃体１１の一部が再生不能に汚損した際には、汚損した部分のみを切除して同切除した大きさに対応する清掃具１０を新たに作業車２０に装着することにより清掃具１０を再生することができる。これらの結果、幅広い形態の作業車２０に柔軟な取付態様で清掃具１０を装着することができるとともに、清掃作業に掛かる経済的負担を軽減することができる。
【００３１】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００３２】
例えば、上記実施形態においては、保持体１２を面ファスナ１４ａ，１４ｂにより開閉自在な筒状に形成した。しかし、面ファスナ１４ａ，１４ｂ以外の留め具によって保持体１２を開閉自在に構成してもよいことは当然である。例えば、嵌め込み式のボタンによって保持体１２を開閉自在に構成することができる。また、保持体１２は、必ずしも、開閉自在に形成する必要はない。すなわち、保持体１２の他方の端部を一方の端部に拭掃体１１とともに縫合することにより開閉しない筒状に形成してもよい。この場合、固定帯３０は、保持体１１の一方の開口部から挿入して保持体１１内に配置することになる。これによれば、清掃体１０を簡単に製作することができる。
【００３３】
また、上記実施形態においては、保持体１２を作業車２０に取り付けるために固定帯３０を用いた。しかし、保持体１２を作業車２０に取り付けることができれば、固定帯３０以外の形態の固定具を用いてもよいことは当然である。例えば、図４に示すように、固定帯３０に代えて本体ロープ４１の両端部に設けられたフック４２ａ，４２ｂとで構成され固定ロープ４０を用いてもよい。この場合、本体ロープ４１は、自由に屈曲および伸び縮みするゴム製のロープであり、フック４２ａ，４２ｂは、略Ｊ字状に形成された鋼製の金具である。この固定ロープ４０は、本体ロープ４１の両端部に設けられたフック４２ａ，４２ｂが保持体１２の筒内の外側に露出した状態で同保持体１２内に配置される。そして、保持体１２を作業車２０に取り付ける際には、固定ロープ４０の２つのフック４２ａ，４２ｂを作業車２０の両側面部における適当な箇所に引っ掛けることにより清掃具１０を作業車２０に装着する。
【００３４】
また、作業車２０における清掃具１０の装着位置（上記実施形態においては脚部２１の下面）が金属で形成されている場合には、保持体１２内に長尺板状の固定用磁石を挿入することにより清掃具１０を作業車２０に装着することもできる。なお、これらの固定帯３０，固定ロープ４０および固定用磁石が、本発明に係る固定具に相当する。また、ショッピングカートのように軸部材で構成されている被装着体に保持体１２を取り付ける場合には、ショッピングカートを構成する軸部材に直接保持体１２を巻き付けて取り付けるようにしてもよい。これらによっても、上記実施形態と同様の効果が期待できる。
【００３５】
また、上記実施形態においては、保持体１２を筒状に形成した。しかし、保持体１２は、屈曲性を有し拭掃体１１の形成方向と直交する方向に分断可能に構成されるとともに、作業車２０に取り付けるための取付手段を備えていれば、上記実施形態に限定されるものではない。例えば、上記実施形態における面ファスナ１４ｂを保持体１２の一方の端部に代えて作業車２０における清掃具１０の装着位置（上記実施形態においては脚部２１の下面）設けるようにする。そして、保持体１２を作業車２０に取り付ける場合には、保持体１２の他方の端部に設けられた面ファスナ１４ａを作業車２０における清掃具１０の装着位置に設けられた面ファスナ１４ｂに貼り付けることにより清掃具１０を作業車２０に装着することができる。なお、この場合、面ファスナ１４ａ，１４ｂに代えてボタンや磁石を用いることができることは、当然である。これらによっても、上記実施形態と同様の効果が期待できる。
【００３６】
また、上記実施形態においては、拭掃体１１を多数の撚り糸１１ａの集合であるモップで構成した。しかし、拭掃体１１は、作業車２０に装着された状態で床面に接触し、同床面に散在するゴミを拭き、または掃き取ることができる形態のものであれば、上記実施形態に限定されるものではない。例えば、布、不織布またはブラシなどを単体でまたはこれらを組み合わせて拭掃体１１を構成することができる。この場合、拭掃体１１は、所定の長さごとの単位拭掃体１１ｂの集合によって構成する必要はなく、モップ、布、不織布またはブラシを連続的に配置して構成してもよい。これによれば、清掃対象となる床面の性状やゴミの種類に応じて効果的な拭掃体１１を構成することができる。この結果、清掃具１０における床面の清掃能力が向上し、同床面の清掃精度および清掃効率を高めることができる。なお、ゴミの吸着力を高めるための吸着剤を拭掃体１１に浸み込ませて用いることにより、床面の清掃精度をより一層高めることができる。
【００３７】
また、上記実施形態においては、７つの単位拭掃体１１ｂで１つの拭掃体１１を構成した。しかし、拭掃体１１を構成する単位拭掃体１１ｂの数や大きさ（単位拭掃体１１ｂの幅方向の長さ）は、当然、上記実施形態に限定されるものではない。すなわち、清掃具１０を装着する作業車２０（被装着体）における清掃具１０の大きさに応じて適宜決定すればよい。
【００３８】
また、上記実施形態においては、拭掃体１１を構成する撚り糸１１ｂの長さを全て同じ長さにして拭掃体１１の丈を一定に形成した。しかし、拭掃体１１の丈や形状は、清掃対象である床面やゴミの種類に応じて適宜決定されるものである。例えば、清掃具１０が装着される作業車２０が、溝が形成された床面上を走行する場合には、同溝内に拭掃体１１が入り込むように拭掃体１１を構成する撚り糸１１ｂの長さを適宜決定すればよい。すなわち、溝部に入り込む撚り糸１１ｂの長さを他の撚り糸１１ｂより長く形成すればよい。これによっても、上記実施形態と同様の効果が期待できる。なお、撚り糸１１ｂの長さを長く設定することにより、拭掃体１１と床面との接触面積が大きくなり清掃具１０の清掃精度を高めることができる。
【００３９】
また、上記実施形態においては、作業台車２０に対して、１つの清掃具１０を装着した。しかし、清掃具１０を装着する数は、当然、１つに限定されるものではない。すなわち、作業台車２０の進行方向に沿って２つ以上の清掃具１０を装着するようにしてもよい。これによれば、清掃具１０の清掃精度をより一層高めることができる。
【００４０】
また、上記実施形態においては、工場や倉庫において用いられる作業車２０に清掃具１０を装着した例について説明した。しかし、本発明に係る清掃具１０は、床面上を移動可能な被装着体に広く適用できるものである。例えば、工場や倉庫内で用いる各種工具や計器類などの各種道具を収容した状態で移動させることができる手押しワゴンに清掃具１０を装着することもできる。また、商業施設におけるショッピングカートに清掃具１０を装着することにより、来店客によるショッピングカートの移動によって店内の床面を清掃することができる。これらによっても、上記実施形態と同様の効果が期待できる。
【図面の簡単な説明】
【００４１】
【図１】（Ａ）〜（Ｄ）本発明の一実施形態に係る清掃具の全体構成を概略的に示しており、（Ａ）は清掃具の正面図であり、（Ｂ）,（Ｃ）は右側面図であり、（Ｄ）は（Ａ）に示す清掃具の一部を拡大した一部拡大破断正面図である。
【図２】図１に示す清掃具を作業車に装着した状態を示す側面図である。
【図３】図１に示す清掃具に固定帯を取り付けた状態を示す正面図である。
【図４】本発明の変形例に係る清掃具を示す正面図である。
【符号の説明】
【００４２】
Ｃ…保持部分、Ｓ…分離部分、１０…清掃具、１１…拭掃体、１１ａ…撚り糸、１１ｂ…単位拭掃体、１２…保持体、１２ａ…当り生地、１３…糸、１４ａ，１４ｂ…面ファスナ、２０…作業車、２１…脚部、２２…爪、２３…支持柱、３０…固定帯、３１ａ，３１ｂ…面ファスナ。
【図１】
2010088582.tif 000003
【図２】
2010088582.tif 000004
【図３】
2010088582.tif 000005
【図４】
2010088582.tif 000006